(57)【要約】【課題】冷風や温風を効率よく循環させることができるエアコン室内機を得ることを目的とする。【解決手段】上端部支持部材６を駆動して、吹出しベーン２の上側を開閉するモータ８と、下端部支持部材７を駆動して、吹出しベーン２の下側を開閉するモータ９とを設けるように構成した。これにより、例えば、温風であれば、吹出しベーン２の下側を開いて下方向に送風し、冷風であれば、吹出しベーン２の上側を開いて上方向に送風することができるようになり、その結果、冷風や温風を効率よく循環させることができる。【選択図】        図２
2004263924.tif 000002
【特許請求の範囲】
【請求項１】
先端が本体の正面に位置する吹出しベーンの上端部に係合され、その吹出しベーンを支持する上端部支持部材と、先端が上記吹出しベーンの下端部に係合され、その吹出しベーンを支持する下端部支持部材と、上記上端部支持部材を駆動して、上記吹出しベーンの上側を開閉する上側開閉手段と、上記下端部支持部材を駆動して、上記吹出しベーンの下側を開閉する下側開閉手段とを備えたエアコン室内機。
【請求項２】
上側開閉手段が吹出しベーンの上側を開ける際には、下側開閉手段が上記吹出しベーンの下側を閉じ、上記下側開閉手段が上記吹出しベーンの下側を開ける際には、上記上側開閉手段が上記吹出しベーンの上側を閉じることを特徴とする請求項１記載のエアコン室内機。
【請求項３】
上側開閉手段が吹出しベーンの上側を閉じ、かつ、下側開閉手段が上記吹出しベーンの下側を閉じると、その吹出しベーンが本体カバーと同一面をなすことを特徴とする請求項１記載のエアコン室内機。
【請求項４】
上側開閉手段及び下側開閉手段は、上端部支持部材及び下端部支持部材の長手方向に施された歯車と噛み合う歯車を備えている回転体であることを特徴とする請求項１から請求項３のうちのいずれか１項記載のエアコン室内機。
【請求項５】
上側開閉手段及び下側開閉手段は、上端部支持部材及び下端部支持部材の先端を伸縮させるクランク機構であることを特徴とする請求項１から請求項３のうちのいずれか１項記載のエアコン室内機。
【請求項６】
上側開閉手段及び下側開閉手段は、上端部支持部材及び下端部支持部材の先端に取り付けられた弾性部材と、上記弾性部材を伸縮させるロープを巻きつけた回転体とから構成されていることを特徴とする請求項１から請求項３のうちのいずれか１項記載のエアコン室内機。
【発明の詳細な説明】
【０００１】
【発明の属する技術分野】
この発明は、吹出しベーンの開閉機構を有するエアコン室内機に関するものである。
【０００２】
【従来の技術】
従来のエアコン室内機は、一般的に本体の下側に吹出し口が設けられている（以下の特許文献１を参照）。
なお、吹出し口から吹出される冷風や温風を左右や上下に揺動するスイングルーパが吹出し口に設けられているエアコン室内機も存在する（以下の特許文献２を参照）。
【０００３】
【特許文献１】
特開平１０−１０３７５８号公報（段落番号［００２０］から［００３２］、図４）
【特許文献２】
実開平４−４６５５号公報（第１頁、図１）
【０００４】
【発明が解決しようとする課題】
従来のエアコン室内機は以上のように構成されているので、本体の下側に設けられている吹出し口から吹出される冷風や温風を左右や上下に揺動させることができる。しかし、冷風を送風する場合、できる限り上方向に送風することが望ましいが、スイングルーパを上側に揺動させても、吹出し口が本体の下側に設けられているため、上方向に送風するには限界があり、冷風を効率よく循環させることができないことがあるなどの課題があった。
【０００５】
この発明は上記のような課題を解決するためになされたもので、冷風や温風を効率よく循環させることができるエアコン室内機を得ることを目的とする。
【０００６】
【課題を解決するための手段】
この発明に係るエアコン室内機は、上端部支持部材を駆動して、吹出しベーンの上側を開閉する上側開閉手段と、下端部支持部材を駆動して、吹出しベーンの下側を開閉する下側開閉手段とを設けたものである。
【０００７】
【発明の実施の形態】
以下、この発明の実施の一形態を説明する。
実施の形態１．
図１はこの発明の実施の形態１によるエアコン室内機を示す斜視図であり、図２はこの発明の実施の形態１によるエアコン室内機を示す断面図である。
吹出しベーン２はエアコン室内機の本体１の正面に取り付けられ、閉じている状態では本体カバー１ａと同一面をなしている（図１（ａ）及び図２（ａ）を参照）。
熱交換器４は吸込み口３から吸込まれた室内の空気と図示せぬ室外機から送られた冷媒の間で熱交換を実施する。プロペラファン５は吸込み口３から室内の空気を吸込んで熱交換器４に通し、その熱交換器４を通過した空気を室内に送風する。
【０００８】
上端部支持部材６は先端６ａが吹出しベーン２の上端部にピン接合され、その吹出しベーン２を支持している。なお、上端部支持部材６の先端６ａは、吹出しベーン２の上端部に対して接合角度が自在に変わるように係合されており、上端部支持部材６の長手方向の下側には歯車６ｂが形成されている。
下端部支持部材７は先端７ａが吹出しベーン２の下端部にピン接合され、その吹出しベーン２を支持している。なお、下端部支持部材７の先端７ａは、吹出しベーン２の下端部に対して接合角度が自在に変わるように係合されており、下端部支持部材７の長手方向の上側には歯車７ｂが形成されている。
【０００９】
回転体であるモータ８の回転軸を上端部支持部材６の歯車６ｂと噛み合う歯車８ａの回転軸と連結し、モータ８により上端部支持部材６を駆動して、吹出しベーン２の上側を開閉する。なお、モータ８は上側開閉手段を構成している。
回転体であるモータ９の回転軸を下端部支持部材７の歯車７ｂと噛み合う歯車９ａの回転軸と連結し、モータ９により下端部支持部材７を駆動して、吹出しベーン２の下側を開閉する。なお、モータ９は下側開閉手段を構成している。
【００１０】
次に動作について説明する。
図１（ａ）及び図２（ａ）に示すように、吹出しベーン２が閉じている状態では、吹出しベーン２が本体カバー１ａと同一面をなしているが、モータ９が歯車９ａを右回転させると、その歯車９ａと下端部支持部材７の歯車７ｂが噛み合うことにより、下端部支持部材７が左方向に移動する。
これにより、図１（ｂ）及び図２（ｂ）に示すように、吹出しベーン２の上側が閉じたまま、吹出しベーン２の下側が開くようになる。
なお、吹出しベーン２の下側が開いているとき、モータ９が歯車９ａを左回転させると、その歯車９ａと下端部支持部材７の歯車７ｂが噛み合うことにより、下端部支持部材７が右方向に移動して、図１（ａ）及び図２（ａ）のように吹出しベーン２が閉じた状態に戻る。
【００１１】
一方、吹出しベーン２が閉じている状態のとき、モータ８が歯車８ａを左回転させると、その歯車８ａと上端部支持部材６の歯車６ｂが噛み合うことにより、上端部支持部材６が左方向に移動する。
これにより、図１（ｃ）及び図２（ｃ）に示すように、吹出しベーン２の下側が閉じたまま、吹出しベーン２の上側が開くようになる。
なお、吹出しベーン２の上側が開いているとき、モータ８が歯車８ａを右回転させると、その歯車８ａと上端部支持部材６の歯車６ｂが噛み合うことにより、上端部支持部材６が右方向に移動して、図１（ａ）及び図２（ａ）のように吹出しベーン２が閉じた状態に戻る。
【００１２】
以上で明らかなように、この実施の形態１によれば、上端部支持部材６を駆動して、吹出しベーン２の上側を開閉するモータ８と、下端部支持部材７を駆動して、吹出しベーン２の下側を開閉するモータ９とを設けるように構成したので、例えば、温風であれば、吹出しベーン２の下側を開いて下方向に送風し、冷風であれば、吹出しベーン２の上側を開いて上方向に送風することができるようになり、その結果、冷風や温風を効率よく循環させることができる効果を奏する。
【００１３】
また、この実施の形態１によれば、モータ８が吹出しベーン２の上側を閉じ、かつ、モータ９が吹出しベーン２の下側を閉じると、その吹出しベーン２が本体カバー１ａと同一面をなすように構成したので、吹出しベーン２が閉じている状態のとき、吹出しベーン２が本体１と一体化され、エアコンの美観性を高めることができる効果を奏する。
さらに、この実施の形態１によれば、モータ８が上端部支持部材６の歯車６ｂと噛み合う上側開閉手段を構成し、モータ９が下端部支持部材７の歯車７ｂと噛み合う下側開閉手段を構成しているので、複雑な機構を用いることなく、吹出しベーン２の開閉機構を構築することができる効果を奏する。
【００１４】
実施の形態２．
図３はこの発明の実施の形態２によるエアコン室内機を示す断面図であり、図において、図２と同一符号は同一または相当部分を示すので説明を省略する。
上端部支持部材１１は先端１１ａが吹出しベーン２の上端部に対して上下方向に移動自在に係合されており（図４を参照）、上端部支持部材１１は先端１１ａが伸縮するピストン機構を備えている。
下端部支持部材１２は先端１２ａが吹出しベーン２の下端部に対して上下方向に移動自在に係合されており、下端部支持部材１２は先端１２ａが伸縮するピストン機構を備えている。
【００１５】
クランク機構１３は上端部支持部材１１の先端１１ａを伸縮させることにより、吹出しベーン２の上側を開閉する上側開閉手段を構成している。
クランク機構１４は下端部支持部材１２の先端１２ａを伸縮させることにより、吹出しベーン２の下側を開閉する下側開閉手段を構成している。
図５はクランク機構１３（または１４）の構成を示す斜視図であり、クランク機構１３（または１４）はモータ２１と、モータ２１の回転軸に取り付けられているギア２２と、ギア２２と噛み合って回転軸２４を回転させることにより、上端部支持部材１１の先端１１ａ（または下端部支持部材１２の先端１２ａ）を伸縮させるギア２３とから構成されている。
【００１６】
次に動作について説明する。
図１（ａ）及び図３（ａ）に示すように、吹出しベーン２が閉じている状態では、吹出しベーン２が本体カバー１ａと同一面をなしているが、クランク機構１４が回転軸２４を回転させると、下端部支持部材１２の先端１２ａが左方向に伸びる。
これにより、図１（ｂ）及び図３（ｂ）に示すように、吹出しベーン２の上側が閉じたまま、吹出しベーン２の下側が開くようになる。
なお、吹出しベーン２の下側が開いているとき、クランク機構１４が回転軸２４を反転させると、下端部支持部材１２の先端１２ａが縮むので、図１（ａ）及び図３（ａ）のように吹出しベーン２が閉じた状態に戻る。
【００１７】
一方、吹出しベーン２が閉じている状態のとき、クランク機構１３が回転軸２４を回転させると、上端部支持部材１１の先端１１ａが左方向に伸びる。
これにより、図１（ｃ）及び図３（ｃ）に示すように、吹出しベーン２の下側が閉じたまま、吹出しベーン２の上側が開くようになる。
なお、吹出しベーン２の上側が開いているとき、クランク機構１３が回転軸２４を反転させると、上端部支持部材１１の先端１１ａが縮むので、図１（ａ）及び図３（ａ）のように吹出しベーン２が閉じた状態に戻る。
【００１８】
これにより、上記実施の形態１と同様に、例えば、温風であれば、吹出しベーン２の下側を開いて下方向に送風し、冷風であれば、吹出しベーン２の上側を開いて上方向に送風することができるようになり、その結果、冷風や温風を効率よく循環させることができる効果を奏する。
なお、この実施の形態２によれば、クランク機構１３が上端部支持部材１１の先端１１ａを伸縮させる上側開閉手段を構成し、クランク機構１４が下端部支持部材１２の先端１２ａを伸縮させる下側開閉手段を構成しているので、複雑な機構を用いることなく、吹出しベーン２の開閉機構を構築することができる効果を奏する。
【００１９】
また、吹出しベーン２の開閉手段として、上端部支持部材１１及び下端部支持部材１２の代わりに、吹出しベーン２の開放側に張力をもつバネなどの弾性部材を用いてもよい。
この場合、例えば、バネの一端を吹出しベーン２に取り付け、他端を固定された支持部材に取り付ける。また、室内機の本体１の内部にモータと、このモータの回転軸に取り付けたプーリとを設けるとともに、そのバネの一端にワイヤロープや紐状のもの（以下、ロープという）の一端に取り付け、このロープを上記バネの内部及び上記支持部材に設けられた穴を通した上で、このロープの他端を上記プーリに巻き付ける。
【００２０】
上記のように構成した上で、モータを回転させると、その回転がプーリに伝わり、上記ロープを上記プーリに巻き込むことによりロープが室内機に引き込まれ、これにより、バネが圧縮するとともに吹出しベーン２が閉じる。
モータを逆方向に回転すると、プーリに巻き付けられていたロープの張力が緩むので、圧縮されていたバネの延伸力でロープが外側に引き出されるとともに吹出しベーン２が開く。
この場合も、上記実施の形態１，２と同様の効果を奏することができる。
【００２１】
【発明の効果】
以上のように、この発明によれば、上端部支持部材を駆動して、吹出しベーンの上側を開閉する上側開閉手段と、下端部支持部材を駆動して、吹出しベーンの下側を開閉する下側開閉手段とを設けるように構成したので、例えば、温風であれば、吹出しベーンの下側を開いて下方向に送風し、冷風であれば、吹出しベーンの上側を開いて上方向に送風することができるようになり、その結果、冷風や温風を効率よく循環させることができる効果がある。
【図面の簡単な説明】
【図１】この発明の実施の形態１によるエアコン室内機を示す斜視図である。
【図２】この発明の実施の形態１によるエアコン室内機を示す断面図である。
【図３】この発明の実施の形態２によるエアコン室内機を示す断面図である。
【図４】図３のエアコン室内機の要部を示す斜視図である。
【図５】クランク機構の構成を示す斜視図である。
【符号の説明】
１  本体、１ａ  本体カバー、２  吹出しベーン、３  吸込み口、４  熱交換器、５  プロペラファン、６  上端部支持部材、６ａ  上端部支持部材６の先端、６ｂ  歯車、７  下端部支持部材、７ａ  下端部支持部材７の先端、７ｂ  歯車、８  モータ（上側開閉手段）、８ａ  歯車、９  モータ（下側開閉手段）、９ａ  歯車、１１  上端部支持部材、１１ａ  上端部支持部材１１の先端、１２下端部支持部材、１２ａ  下端部支持部材１２の先端、１３  クランク機構（上側開閉手段）、１４  クランク機構（下側開閉手段）、２１  モータ、２２，２３  ギア、２４  回転軸。
【図１】
2004263924.tif 000003
【図２】
2004263924.tif 000004
【図３】
2004263924.tif 000005
【図４】
2004263924.tif 000006
【図５】
2004263924.tif 000007